(57)【要約】【課題】乾電池の本数を選択することによって、リチウムイオン電池の通常動作電圧領域を一致させることにより電池寿命を延ばすようにしたデジタルカメラを提供する。【解決手段】２種類以上の１次側直流電源２、３を接続可能であるデジタルカメラにおいて、前記１次側直流電源が電池電源２、３であり、この電池電源２、３が同一スペース内に収容可能であり、前記電池電源２、３は異なる形状であり、前記異なる形状の電池の一方が２次電池３のみであり、他方が１次あるいは２次電池で使用可能であり、前記１次２あるいは２次３電池において少なくとも１種類の定常動作電圧領域と前記２次電池３のみの定常動作電圧領域を略略同一電圧とした。【選択図】      図１
2004180226.tif 000002
【特許請求の範囲】
【請求項１】
２種類以上の１次側直流電源を接続可能であるデジタルカメラにおいて、前記１次側直流電源が電池電源であり、該電池電源が同一スペース内に収容可能で、且つ異なる形状を有し、該異なる形状の電池の一方が２次電池のみで構成され、他方の電池が１次あるいは２次電池として使用可能とし、前記１次あるいは２次電池において少なくとも１種類の定常動作電圧領域及び前記２次電池のみの定常動作電圧領域を略同一電圧としたことを特徴とするデジタルカメラ。
【請求項２】
前記２次電池のみの電池がリチウムイオン１セル電池であり、前記１次あるいは２次電池においては単三或いは単四ニッケル水素電池３本を使用することを特徴とする請求項１記載のデジタルカメラ。
【請求項３】
前記２次電池のみの電池の接続端子と前記１次あるいは２次電池の接続端子が夫々別に用意され、前記各接続端子によって端子の電圧検出を行う電池判別手段を兼用することを特徴とする請求項１または２記載のデジタルカメラ。
【請求項４】
前記１次側直流電源に接続可能なＡＣアダプタ電源を更に備え、前記電池電源と同一スペース内に収容可能であり、前記ＡＣアダプタ電源接続端子は単独あるいは前記電池電源接続端子と兼用としたことを特徴とする請求項１乃至３のいずれか１項記載のデジタルカメラ。
【請求項５】
前記１次側直流電源に接続可能なＡＣアダプタ電源を更に備え、前記電池電源と同一スペース内に収容可能であり、前記ＡＣアダプタ電源接続端子は単独あるいは前記電池電源接続端子の内の高出力電圧側と兼用としたことを特徴とする請求項１乃至３の何れか１項記載のデジタルカメラ。
【請求項６】
前記リチウムイオン電池の接続時には同一スペース内に隣接してリチウムイオン電池充電手段を接続し得る端子を備えたことを特徴とする請求項１乃至５の何れか１項記載のデジタルカメラ。
【請求項７】
異なる電池にそれぞれ対応するバッテリチェック用のテーブルを有することを特徴とする請求項１乃至６の何れか１項記載のデジタルカメラ。
【請求項８】
前記ＡＣアダプタ電源接続端子を前記スペース以外に用意することを特徴とする請求項１乃至７の何れか１項記載のデジタルカメラ。
【発明の詳細な説明】
【０００１】
【発明の属する技術分野】
本発明は電池スペースを利用した各種電源接続方法を利用し得るデジタルカメラに関するものである。
【０００２】
【従来の技術】
従来技術として、電池側にＤＣ／ＤＣコンバータを装着して動作電圧を同一にする技術が知られている（例えば、特許文献１参照）。しかしながら、ＤＣ／ＤＣコンバータによる効率低下回路追加によりスペースが拡大する不具合がある。
【特許文献１】特開平５−１８４１３６号公報
【０００３】
【発明が解決しようとする課題】
電池で駆動する機器、とくにデジタルカメラにおいては、携帯性からくる必要形状の制約からそれ自体の消費電流と比較すると一般に電池寿命を犠牲にせざるを得ない状況にある。
そのために、緊急時に入手し易い単三、単四電池等の乾電池を使用し、通常使用はリチウムイオン電池を用いて異種電池の装着により通常使用時は電池寿命を延ばす方法がある。しかしながら、乾電池の定常動作電圧とリチウムイオン電池の定常動作電圧が違うため、電源の作動範囲が極端に違い電源回路の効率の低下、大型化等、電源として問題が生じている。
そこで本発明の目的は、上記の問題点を解決するために、乾電池の本数を選択することによって、リチウムイオン電池の通常動作電圧領域を一致させることにより電池寿命を延ばすようにしたデジタルカメラを提供することにある。
【０００４】
【課題を解決するための手段】
前記の課題を解決するために、請求項１記載の発明では、２種類以上の１次側直流電源を接続可能であるデジタルカメラにおいて、前記１次側直流電源が電池電源であり、該電池電源が同一スペース内に収容可能で、且つ異なる形状を有し、該異なる形状の電池の一方が２次電池のみで構成され、他方の電池が１次あるいは２次電池として使用可能とし、前記１次あるいは２次電池において少なくとも１種類の定常動作電圧領域及び前記２次電池のみの定常動作電圧領域を略同一電圧としたことを特徴とする。
請求項２記載の発明では、前記２次電池のみの電池がリチウムイオン１セル電池であり、前記１次あるいは２次電池においては単三或いは単四ニッケル水素電池３本を使用する請求項１記載のデジタルカメラを主要な特徴とする。
請求項３記載の発明では、前記２次電池のみの電池の接続端子と前記１次あるいは２次電池の接続端子が夫々別に用意され、前記各接続端子によって端子の電圧検出を行う電池判別手段を兼用することを特徴とする。
請求項４記載の発明では、前記１次側直流電源に接続可能なＡＣアダプタ電源を更に備え、前記電池電源と同一スペース内に収容可能であり、前記ＡＣアダプタ電源接続端子は単独あるいは前記電池電源接続端子と兼用としたことを特徴とする。
請求項５記載の発明では、前記１次側直流電源に接続可能なＡＣアダプタ電源を更に備え、前記電池電源と同一スペース内に収容可能であり、前記ＡＣアダプタ電源接続端子は単独あるいは前記電池電源接続端子の内の高出力電圧側と兼用としたことを特徴とする。
請求項６記載の発明では、前記リチウムイオン電池の接続時には同一スペース内に隣接してリチウムイオン電池充電手段を接続し得る端子を備えたことを特徴とする。
請求項７記載の発明では、異なる電池にそれぞれ対応するバッテリチェック用のテーブルを有することを特徴とする。
請求項８記載の発明では、前記ＡＣアダプタ電源接続端子を前記スペース以外に用意することを特徴とする。
【０００５】
【発明の実施の形態】
以下、図面により本発明の実施の形態を詳細に説明する。図１は本発明のデジタルカメラに使用する電源入力部の第１の実施の形態を示す構成図である。図１はＡＣアダプタをカメラ側に内蔵した例として示してある。１次側電源はＡＣアダプタ入力端子１あるいは３本の単三電池２あるいはリチウムイオン電池３からなる。
単三電池２は３本のニッケル水素電池により通常放電領域電圧で１．２Ｖ×３＝３．６Ｖでリチウムイオン電池３の通常放電領域電圧３．６Ｖあるいは３．７Ｖと略一致する。
ＡＣアダプタの電圧を３．６Ｖ近傍に合わせることにより、それぞれ３種類の電源の動作範囲を±０．１Ｖ程度に一致させて、この範囲が狭くなることによってＤＣ−ＤＣコンバータ４を最適効率に追いこむことができて電池の本数等を本実施の形態と変えて広い動作範囲にしたＤＣ−ＤＣコンバータ４よりも効率を上げることが可能になる。
また、終始電圧も単三電池２では０．９Ｖ×３＝２．７Ｖでリチウムイオン電池３が一般に２．６Ｖ程度なので、±０．１Ｖ程度に一致させることができる。それによって通常放電領域電圧のみならず終始電圧もほぼ同一なのでＤＣ−ＤＣコンバータ４の動作電圧範囲を最適効率に追いこむことができる。
さらに、動作範囲が一致したのでバッテリの終止電圧の判断を行う後述のシステム図のコントローラのバッテリ電圧の判断のメモリ領域を節約できるので、ほかの機能のためにメモリ領域の転用が可能になる。
１次電源のどれからの電力は、それぞれ、溶断ヒューズ、温度ヒューズ等の入力保護手段５、６、７を経由して入力切り替え手段８、９、１０を介してＤＣ−ＤＣコンバータ４に入力される。
入力切り替え手段８、９、１０は３系統全て接続すると、ＡＣアダプタから異常充電されて、保安上問題が発生するために途中に入れている。また、電源検出手段１１、１２、１３でどの電源が接続されているかを確認する。この確認はコントローラ１４で行われる。
なお、ＡＣアダプタ側の入力保護手段５は上記ヒューズのほかに、異常に高い電圧のＡＣアダプタが接続されたときの保護のための過電圧保護手段や正負逆のＡＣアダプタが接続されたときの保護のための逆接防止回路、ＥＭＣノイズがカメラからＡＣアダプタのケーブルを介して放射されないように防止するＥＭＣフィルタも必要に応じて構成されることは言うまでもない。
【０００６】
図２は本発明のデジタルカメラに使用する電源入力部の第２の実施の形態を示す構成図である。図２は上記ＡＣアダプタ側の入力保護手段５とＡＣアダプタ入力端子１を電池と略同じ形状にして電池室に入れることによりカメラスペースを小さくしたものである。その他の構成は図１の第１の実施の形態と同一であるので、同一部分に同一符号を付して詳細な説明は省略する。
図１および図２に示すように、基本的には単三電池２とリチウムイオン電池３はどちらかの使用を前提にしていて同時使用はできない。２次電池のみの電池の接続端子と１次あるいは２次電池の接続端子が別に用意され、これらの別の接続端子（図示せず）によって端子の電圧検出による電池判別手段を兼用する。
さらに接続可能な１次側直流電源にＡＣアダプタ電源があり、電池電源と同一スペース内に収容可能であり、ＡＣアダプタ電源接続端子１は単独あるいは電池電源接続端子と兼用としている。
さらに接続可能な１次側直流電源にＡＣアダプタ電源があり、電池電源と同一スペース内に収容可能であり、ＡＣアダプタ電源接続端子は単独あるいは前記電池電源接続端子の内の高出力電圧側と兼用としている。
リチウムイオン電池３の接続時には同一スペース内に隣接してリチウムイオン電池充電手段（図示せず）を接続し得る端子が存在する。異なる電池にそれぞれ対応するバッテリチェック用のテーブル（図示せず）を有している。ＡＣアダプタ電源接続端子をスペース以外に用意する。
【０００７】
図３は図１および図２の電源入力部の電源検出回路と入力切り替え手段を示す回路図である。図３において、１次側電源の接続の検出は、後述するシステム図のコントローラからＮＰＮトランジスタ１５をオンさせてＰＮＰトランジスタ１６をオンさせてこのＰＮＰトランジスタ１６のコレクタ側の抵抗１７の発生電圧の有り無しで検出する。
この２つのトランジスタ１５、１６でレベルシフト回路を構成しており低いコントローラの出力電圧でもコントローラの入力端子のオン・オフが可能になる。入力切り替え手段８、９、１０はＰｃｈパワーＭＯＳ１８とＮＰＮトランジスタ１９から構成されていてＮＰＮトランジスタ１９がコントローラの出力端子オンでＤＣ−ＤＣコンバータ４へ電源を供給する。
動作としては電源検出回路１１、１２、１３で接続が確認されたら入力切り替え手段８、９、１０をオンして動作させる。なお、ＮＰＮトランジスタ１９はＦＥＴのごとき別の代替手段を使用しても良い。
【０００８】
図４は本発明のデジタルカメラの電池室の構成を示す分解斜視図である。図のように３本の単三電池２あるいはリチウムイオン電池３のどちらかの接続としている。単三電池２のときはそのままカメラ電池室２０の電池室蓋２１を開けて単三電池２を装着する。
リチウムイオン電池３の使用時はカメラ電池室２０のリチウムイオン電池端子収納蓋２３を下に倒すとリチウムイオン電池用端子２４が見えるので、そのままリチウムイオン電池を装着する。なお、電池によっては長さの関係で単三用端子とリチウムイオン電池端子の関係を変えても良い。
以上に関してＡＣアダプタ端子は図示しない位置に設置されている。また、ＡＣアダプタ入力端子を含むユニットは略単三３本形状あるいはリチウムイオン電池形状にあわせて構成する。場合によっては別端子を用意して、通常リチウム電池より薄い電池と前記ユニットを両方接続可能にしても良い。
【０００９】
図５は本発明のデジタルカメラのシステム図である。図において、レンズ系３は、フォーカスレンズ系３１、ズームレンズ系３２、絞り等を含むメカ機構３３、フォーカスモータ３４、ズームモータ３５、絞りモータ３６、フォーカスモータドライバ３７、ズームモータドライバ３８、およびモータドライバ３９を含んでいる。
ＴＧ部（タイミング発生器）４０には、ＣＣＤ（電荷結合素子）４１、ＣＤＳ（相関２重サンプリング）回路４２、可変利得増幅器（ＡＧＣアンプ）４３、およびＡ／Ｄ変換器４４が接続されている。
Ａ／Ｄ変換器４４には、ＩＰＰ（イメージプリプロセッサ）４５、ＤＣＴ（離散型コサイン変換）４６、コーダ（ハフマンインコーダ／デコーダ）４７、ＭＣＣ（メモリカードコントローラ）４８、ＲＡＭ（内部メモリ）４９、カードインターフェース５０、ＰＣカード（メモリーカード等含む）が続いている。
コントローラ（ＣＰＵ）５２には、フラッシュメモリ（ＥＥＰＲＯＭ）５３、コントローラ用Ａ／Ｄ変換器５４、コントローラ用Ｄ／Ａ変換器５５、補助光ランプ５９、補助光ランプ駆動回路６０が、また、システムバスライン５６を介してＬＣＤ表示部５８、ＬＣＤドライバ回路５７が接続されている。
さらに、このシステム図には、ストロボ６１、ＤＣ−ＤＣコンバータ６２、バッテリ６３、ＡＣアダプタ６４、操作部６５、レリーズスイッチ６６、モード入力手段６７、音声アンプ部６８、マイク６９、スピーカ７０、イヤホン７１、振動モータドライバ７２、振動モータ７３が示されている。
【００１０】
レンズユニットはレンズ系３、絞り・フィルタ部等を含むメカ機構３３からなり、このメカ機構３３のメカニカルシャッタは２つのフィールドの露光を行う。レンズ系３は例えばバリフォーカルレンズからなり、フォーカスレンズ系３４とズームレンズ系３５とで構成されている。
フォーカスモータドライバ３７はコントローラ５２から供給される制御信号にしたがって、フォーカスモータドライバ３７を駆動してフォーカスレンズ系３１を光軸方向に移動させる。ズームモータドライバ３８はコントロ−ラ５２から供給される制御信号にしたがってズームモータ３５を駆動して、ズームレンズ系３２を光軸方向に移動させる。また、絞りモータドライバ３９はコントローラ５２から供給される制御信号にしたがってメカ機構３３を駆動し、例えば絞りの絞り値を設定する。
ＣＣＤ（電荷結合素子）４１はレンズユニットを介して入力した映像を電気信号（アナログ画像データ）に変換する。ＣＤＳ（相関２重サンプリング）回路４２はＣＣＤ型撮像素子にたいする低雑音化のための回路である。また、ＡＧＣアンプ４３はＣＤＳ回路４２で相関２重サンプリングされた信号のレベルを補正する。
【００１１】
なお、ＡＧＣアンプ４３が内蔵するＤ／Ａ変換器を介して設定データ（コントロール電圧）がＡＧＣアンプ４３に設定されることにより設定される。さらにＡ／Ｄ変換器４４はＡＧＣアンプ４３を介して入力したＣＣＤ４１からのアナログ画像データをデジタル画像データに変換する。
すなわち、ＣＣＤ４１の出力信号は、ＣＤＳ回路４２およびＡＧＣアンプ４３を介し、また、Ａ／Ｄ変換器４４により、最適なサンプリング周波数（例えばＮＴＳＣ信号のサブキャリア周波数の整数倍）にてデジタル信号に変換される。
また、デジタル信号処理部であるＩＰＰ（イメージプリプロセッサ）４５、ＤＣＴ（離散型コサイン変換）４６およびコーダ（ハフマンインコーダ／デコーダ）４７は、Ａ／Ｄ変換器４４から入力したデジタル画像データについて色差（Ｃｂ、Ｃｒ）と輝度（Ｙ）に分けて各種処理、補正及び画像圧縮／伸長のためのデータ処理を施す。
ＤＣＴ４６およびコーダ４７は、例えばＪＰＥＧ準拠の画像圧縮・伸長の一過程である直交変換・逆直交変換、ならびにＪＰＥＧ準拠の画像圧縮・伸長の一過程であるホフマン符号化・復号化等を行う。
また、ＩＰＰ４５はＧ画像データの輝度データ（Ｙ）を検出し、検出した輝度データ（Ｙ）に応じたＡＥ評価値をコントローラ５２に出力する。このＡＥ評価値は被写体の輝度（明るさ）を示すものである。また、ＩＰＰ４５は設定された色温度範囲内で、Ｒ、Ｇ、Ｂ画像データの各輝度データ（Ｙ）に応じたＡＷＢ（自動白色バランス）評価値を各々コントローラ５２に出力する。このＡＷＢ評価値は被写体の色成分を示すものである。
さらに、ＭＣＣ（メモリカードコントローラ）４８は、圧縮処理された画像をいったん蓄えてＰＣカードインターフェース５０を介してＰＣカード５１への記録、或いはＰＣカード５１からの読み出しを行う。
【００１２】
ＬＣＤ表示部５８は透過型ＬＣＤからなり、画像データや操作メニュー等が表示される。補助光ランプ５９はＬＣＤ表示部５８を照明するためのバックライトであり、例えば蛍光管、あるいは白色ＬＥＤからなる。補助光ランプ駆動回路６０は、コントローラ５２の制御に基づき、補助光ランプ５９に駆動電力を出力して補助光ランプ５９を点灯させる。
ＬＣＤドライバ回路５７は、ＩＰＰ４５から入力される画像データをＬＣＤ表示部５８に表示させるための回路である。操作部６５は、撮影の指示を行うためのレリーズスイッチ６６、モード入力手段６７、電源スイッチ、ＬＣＤスイッチ、補助光ランプスイッチ、機能選択およびその他の各種設定を外部から行うためのボタン等を備えている。なお、図中７４は音声記録モード、７５は静止画記録、７６は動画記録を示す。
ストロボ回路６１は、コントローラ５２の制御によりストロボ光を発する。バッテリ６３は例えば、ニッケル水素電池、リチウムイオン電池、ニッカド（ＮｉＣｄ）電池、アルカリ電池等からなり、場合によりＡＣアダプタ６４の電源電圧が供給されることもある。
ＤＣ−ＤＣコンバータ６２を介してデジタルカメラＡの内部に供給される。ＤＣ−ＤＣコンバータ６２はコントローラ５２の制御により、デジタルカメラＡ内部に出力する各種電源をオン／オフするスイッチ回路を内蔵する。
ここで、コントローラ５２、ＤＣ−ＤＣコンバータ６２、バッテリ６３は、システム全体から符号付けしたが、これらは、図１および図２に示したコントローラ１４、ＤＣ−ＤＣコンバータ４、バッテリ（単三電池２またはリチウムイオン電池３）に同じである。
コントローラ５２は、ＣＰＵ、ＲＯＭ、ＲＡＭ、Ａ／Ｄ変換器、Ｄ／Ａ変換器等からなり、ＣＰＵは操作部６５からの指示または図示しないリモコン等の外部動作指示に従い、ＲＯＭに格納された制御プログラムにしたがってＲＡＭをワークエリアとして使用して、デジタルカメラＡの装置全体の制御を行う。
【００１３】
なお、Ａ／Ｄ変換器、Ｄ／Ａ変換器は外部に用意する場合にはＡ／Ｄ変換器５４、Ｄ／Ａ変換器５５として用意される。
具体的には、コントローラ５２は、撮影動作、自動露出（ＡＥ）動作、自動白色バランス（ＡＷＢ）調整動作やＡＦ動作、表示等の制御を行う。また、各種制御のための情報入力手段の一つとして内蔵のＡ／Ｄ変換器を用いてアナログ情報の把握を行う。内蔵のＡ／Ｄ変換器は基準電圧との比較で行われる。
一方、アナログ出力のためにＤ／Ａ変換器を用いる。例えばＩＰＰ４５とコントローラ５２との制御、データのやりとりは図の下方に５６ａとしてその記号を示すシステムバス５６を介して行われる。また、コントローラ５２は、被写体を撮像して得られる画像データをＰＣカード５１に記録する記録モードと、ＰＣカード５１に記録された画像データをＬＣＤ表示部５８に再生して表示する再生モードと、撮像したモニタリング画像をＬＣＤ表示部５８に直接表示するモニタリングモード等を備えている。
また、再生モードやモニアリングモードでＬＣＤ表示部５８に画像を表示する場合の表示モードとしては、固定モード、外光適応モードを備えており、これらのモードの選択は操作部６５で行われる。
フラッシュメモリ５３には、デジタルカメラＡの各種パラメータやデータが記録されている。タイミングジェネレータ（ＴＧ）４０は、ＩＰＰ４５から入力される水平同期信号および垂直同期信号に基づいて、各種タイミング信号を生成する。
音声アンプ部６８はコントローラ５２のＡ／Ｄ変換機５４あるいはＤ／Ａ変換機５５を介してマイク６９、スピーカ７０、イヤホン７１のアナログ信号の増幅を行う。なお、音声出力手段としてはスピーカ７０のかわりにコントローラ５２の図示しない出力によってブザーを使用する方法も可能であることは言うまでもない。
振動モータ７３は警告表示手段の一手段であり、コントローラ５２からの制御信号により振動モータドライバ７２を動作させて、この振動モータドライバ７２は振動モータ７３を駆動することにより振動によって警告表示を行う。
【００１４】
図６は本発明によるデジタルカメラの電源入力部の切り換えを説明するシステムフロー図である。電源スイッチ等でカメラシステムが起動すると、コントローラ５２がまずＡＣアダプタ側の電源検出回路１１を動作してＡＣアダプタ６４が接続されているかどうか判断する（Ｓ１）。ＹＥＳの場合はＡＣアダプタ用のバッテリレベルを設定して（Ｓ２）各シーケンスでそれぞれのバッテリレベルを確認しながらカメラ動作を進める（Ｓ３）。
ＡＣアダプタでない場合はバッテリ６３（リチウムイオン電池３）側の電源検出回路１３を動作してリチウムイオン電池３が接続されているかどうかを判断する（Ｓ４）。ＹＥＳの場合はリチウムイオン電池３のバッテリレベルを設定して（Ｓ５）各シーケンスでそれぞれのバッテリレベルを確認しながらカメラ動作を進める。リチウムイオン電池判別がＮＯの場合はバッテリ６３（単三または単四電池２）側の電源検出回路１２を動作して単三または単四電池２が接続されているかどうか判断する（Ｓ６）。ＹＥＳの場合は単三または単四電池のバッテリレベルを設定してＳ７７）各シーケンスでそれぞれのバッテリレベルを確認しながらカメラ動作を進める。
以上ですべてＮＯの場合は電源検出回路等が異常と判断してカメラ動作を止める（Ｓ８）。以上のシーケンスで次のシーケンスに進める。
同時に単三あるいは単四乾電池系を採用したことにより、若干動作電圧が高くなり効率が低下するが入手可能なアルカリ電池も使用が可能になるので、緊急避難的な使用の利便性も期待できる。一方、リチウムイオン電池は大容量が期待できるので、電池寿命が必要な環境での使用に適している。
【００１５】
【発明の効果】
以上説明したように、請求項１によれば、効率を上げて電池寿命を延ばすあるいは利便性を備えた電源を構成できるとともに、同様に異種形状電池の通常動作電圧を略一致させて、違う構成でも上記の効果が期待できる。
請求項２によれば、とくに一般的な単三あるいは単四乾電池系、とくにニッケル水素電池３本とリチウムイオン電池１セルどちらかの使用により利便性を上げる効果がある。
請求項３によれば、端子を別にしてその電圧検出により使用の電池判別が簡易な方法で可能なためにスペースや消費電力を削減できる効果がある。
請求項４によれば、ＡＣアダプタ入力端子を含むユニットを電池スペースにいれてＡＣアダプタ使用時にはそのユニットを使用することにより、スペースメリットの効果がある。
請求項５によれば、ＡＣアダプタはＡＣ電源からの供給により高出力が可能であり、高出力側の電池系と兼用して低出力側でないのでシーケンスを変える等さらに細かい制御が可能になる効果がある。
請求項６によれば、ＡＣアダプタ入力端子を含むユニットと薄形の電池の兼用により電池使用とＡＣアダプタ使用あるいは電池寿命優先の厚形電池のそれぞれの使用が可能で使用範囲が拡大できる効果がある。
請求項７によれば、各電池を判別してバッテリチェック用テーブルをそれぞれの電源に使い分けできるので、それぞれの電池に合わせて容量を使いきる等の効果がある。
請求項８によれば、電池室以外に用意して電池を入れたままでのＡＣアダプタの使用を可能にする効果がある。
【図面の簡単な説明】
【図１】本発明のデジタルカメラに使用する電源入力部の第１の実施の形態を示す構成図である。
【図２】本発明のデジタルカメラに使用する電源入力部の第２の実施の形態を示す構成図である。
【図３】図１および図２の電源入力部の電源検出回路と入力切り替え手段を示す回路図である。
【図４】本発明のデジタルカメラの電池室の構成を示す分解斜視図である。
【図５】本発明のデジタルカメラのシステム図である。
【図６】本発明によるデジタルカメラの電源入力部の切り換えを説明するシステムフロー図である。
【符号の説明】
Ａ  デジタルカメラ
２  電池電源（単三電池）
３  電池電源（リチウムイオン電池）
２４  別の接続端子（リチウムイオン電池用端子）
６４  ＡＣアダプタ
【図１】
2004180226.tif 000003
【図２】
2004180226.tif 000004
【図３】
2004180226.tif 000005
【図４】
2004180226.tif 000006
【図５】
2004180226.tif 000007
【図６】
2004180226.tif 000008